(57)【要約】【課題】電池消耗の低減ができ、且つセキュリティ上の心配点をなくすことを可能にした電子キー及びその電子キーの保管構造を提供すること。【解決手段】自宅内での電子キー２の置き場として、保管用アダプタ５が例えば玄関先に設置される。電子キー２と保管用アダプタ５との位置関係について、マイクロスイッチ２２がピン５１により押圧されてスイッチオンしている位置関係にあることを、電子キー２が保管用アダプタ５の定位置に置かれていることと規定する。電子キー２の下部領域を保管用アダプタ５に装着しつつ、電子キー２を保管用アダプタ５に立て掛けることで、電子キー２が保管されることになる。そして、マイクロスイッチ２２のスイッチオンに伴い、電子キー２の電源がオフされて該電子キー２の通信機能を含む全ての機能が停止される。【選択図】図１
2018035590.tif 000002
【特許請求の範囲】
【請求項１】
通信機能を有する電子キーにおいて、
当該電子キーが定位置に置かれている場合に前記通信機能を停止する通信停止スイッチを備える
ことを特徴とする電子キー。
【請求項２】
前記通信停止スイッチは、当該電子キーが前記定位置に置かれている場合に当該電子キーの電源をオフして前記通信機能の停止を含め当該電子キーの機能を全て停止する
請求項１に記載の電子キー。
【請求項３】
前記通信停止スイッチは、当該電子キーが前記定位置に置かれている場合に該定位置のピンに押圧されてスイッチオンするマイクロスイッチである
請求項１又は２に記載の電子キー。
【請求項４】
通信機能を有する電子キーを保管用アダプタの定位置に置いて保管する電子キーの保管構造において、
前記電子キーは、当該電子キーが前記定位置に置かれている場合に前記通信機能を停止する通信停止スイッチを備え、
前記保管用アダプタは、前記電子キーが前記定位置に置かれている場合に前記通信停止スイッチをスイッチオンして前記通信機能を停止させる協働手段を備える
ことを特徴とする電子キーの保管構造。
【請求項５】
前記保管用アダプタの前記協働手段は、前記電子キーが前記定位置に置かれている場合に前記通信停止スイッチを押圧するピンであり、
前記電子キーの前記通信停止スイッチは、当該電子キーが前記定位置に置かれている場合に前記ピンに押圧されてスイッチオンするマイクロスイッチである
請求項４に記載の電子キーの保管構造。
【発明の詳細な説明】
【技術分野】
【０００１】
本発明は、通信機能を有する電子キー及びその電子キーの保管構造に関する。
【背景技術】
【０００２】
特許文献１には、非接触式の電気錠システムの一例として、住宅用電子キーシステムが開示されている。こうした住宅用電子キーシステムはスマートエントリ（登録商標）とも呼ばれ、通信機能を有する電子キーをユーザが所持し、その電子キーと玄関ドアに設けられた照合ユニットとの間で通信を行い、該通信による電子キーの照合を経て電子キーの正当性が認められた場合に、玄関ドアが解錠される。
【先行技術文献】
【特許文献】
【０００３】
【特許文献１】特開２００７−１６２３１０号公報
【発明の概要】
【発明が解決しようとする課題】
【０００４】
照合ユニットから呼び掛け信号が発信されつつ、玄関ドアの周辺に電子キーの検知エリアが形成され、該検知エリア内に電子キーが進入すると、電子キーから応答信号が返信される。このため、上記検知エリア内に電子キーを放置しておくと、玄関ドア側（照合ユニット）と常時通信を行ってしまうことになり、電子キーの電池消耗が早くなる。
【０００５】
また、室内に放置した場合、外部から第三者に解錠される、或いはドアとの通信を中継され解錠される等、セキュリティ上の心配点がある。
それらの対策として、電子キーに振動センサを搭載し振動が無い場合に通信を停止する、或いは通信時間をカウントしてタイマーで通信を停止すること等が考えられる。
【０００６】
しかしながら、上記対策を講じた場合でも、振動が止まるまで、或いはタイマカウント中等、一定時間は通信を継続してしまう。
また、振動センサによる対策の場合、ユーザが電子キーを持って動いていると通信は停止しないため、玄関先等で動いていた場合に外部からの解錠に対するセキュリティ性が弱くなる。
【０００７】
本発明は、このような問題点に着目してなされたものであって、その目的は、電池消耗の低減ができ、且つセキュリティ上の心配点をなくすことを可能にした電子キー及びその電子キーの保管構造を提供することにある。
【課題を解決するための手段】
【０００８】
上記課題を解決する電子キーは、通信機能を有する電子キーにおいて、当該電子キーが定位置に置かれている場合に前記通信機能を停止する通信停止スイッチを備えることをその要旨としている。
【０００９】
この構成によれば、電子キーを定位置に置くことで通信機能が停止されるため、電池消耗の低減ができ、且つ通信機能が停止されることでセキュリティ上の心配点もなくなる。したがって、電池消耗の低減ができ、且つセキュリティ上の心配点をなくすことができる。
【００１０】
上記電子キーについて、前記通信停止スイッチは、当該電子キーが前記定位置に置かれている場合に当該電子キーの電源をオフして前記通信機能の停止を含め当該電子キーの機能を全て停止することとしてもよい。
【００１１】
この構成によれば、電子キーを定位置に置くことで電子キーの機能が全て停止されるため、通信機能の停止に伴うセキュリティの確保は勿論のこと、電池消耗をより一層低減できる。
【００１２】
上記電子キーについて、前記通信停止スイッチは、当該電子キーが前記定位置に置かれている場合に該定位置のピンに押圧されてスイッチオンするマイクロスイッチであることとしてもよい。
【００１３】
この構成によれば、電子キーを定位置に置いた瞬間にマイクロスイッチがスイッチオンすることで直ちに通信機能を停止できる。したがって、電池消耗の低減とセキュリティの確保の双方がより顕著となる。
【００１４】
上記課題を解決する電子キーの保管構造は、通信機能を有する電子キーを保管用アダプタの定位置に置いて保管する電子キーの保管構造において、前記電子キーは、当該電子キーが前記定位置に置かれている場合に前記通信機能を停止する通信停止スイッチを備え、前記保管用アダプタは、前記電子キーが前記定位置に置かれている場合に前記通信停止スイッチをスイッチオンして前記通信機能を停止させる協働手段を備えることをその要旨としている。
【００１５】
この構成によれば、電子キーを保管用アダプタの定位置に置くことで協働手段により通信停止スイッチがスイッチオンされて電子キーの通信機能が停止されるため、電子キーの電池消耗の低減ができ、且つ電子キーの通信機能が停止されることでセキュリティ上の心配点もなくなる。したがって、電子キーの電池消耗の低減ができ、且つセキュリティ上の心配点をなくすことができる。また、電子キーの置き場が確定するため、電子キーの紛失、或いは探すといった行為に対しての対策にもなる。
【００１６】
上記電子キーの保管構造について、前記保管用アダプタの前記協働手段は、前記電子キーが前記定位置に置かれている場合に前記通信停止スイッチを押圧するピンであり、前記電子キーの前記通信停止スイッチは、当該電子キーが前記定位置に置かれている場合に前記ピンに押圧されてスイッチオンするマイクロスイッチであることとしてもよい。
【００１７】
この構成によれば、電子キーを保管用アダプタの定位置に置いた瞬間にマイクロスイッチがスイッチオンすることで直ちに電子キーの通信機能を停止できる。したがって、電子キーの電池消耗の低減とセキュリティの確保の双方がより顕著となる。
【発明の効果】
【００１８】
本発明によれば、電子キーの電池消耗の低減ができ、且つセキュリティ上の心配点をなくすことができる。
【図面の簡単な説明】
【００１９】
【図１】住宅用電子キーシステムの構成と共に、電子キーの保管構造を示す図。
【発明を実施するための形態】
【００２０】
以下、電子キー及びその電子キーの保管構造の一実施の形態について説明する。
図１に示すように、通信機能を有する電子キー２は、非接触式の電気錠システムの一例である住宅用電子キーシステム１の構成要素であって、玄関ドア３に設けられた照合ユニット４との間で双方向の無線通信が可能である。照合ユニット４からは定期的に或いはユーザ操作を契機に、例えばＬＦ帯の電波による呼び掛け信号が発信されつつ、玄関ドア３の周辺に電子キー２の検知エリアである通信エリアが形成される。その通信エリア内に電子キー２が進入すると、上記呼び掛け信号による呼び掛けを受けて、電子キー２からは例えばＵＨＦ帯の電波による応答信号が自動で返信される。その応答信号が照合ユニット４で解析され、該解析による電子キー２の照合を経て電子キー２の正当性が認められた場合に、玄関ドア３が解錠或いは施錠される。すなわち、ユーザが外出先から帰宅する際に電子キー２を所持して上記通信エリア内に進入すると、玄関ドア３が解錠され、ユーザが外出する際に電子キー２を所持して上記通信エリアに進入すると、玄関ドア３が施錠される。
【００２１】
上記電子キー２は、外出時或いは帰宅時にはユーザによって所持される一方、それ以外の時には外出先を除いて自宅内で静置されて保管される。仮に玄関先等の上記通信エリア内に電子キー２を放置しておくと、照合ユニット４と常時通信を行ってしまうことになるので、本例では、通信機能を停止しつつ電子キー２を保管するための工夫を凝らしている。
【００２２】
すなわち、本例では、自宅内での電子キー２の置き場として、保管用アダプタ５が例えば玄関先に設置される。保管用アダプタ５は、簡易なスタンド形状をなすアダプタケース５０を備え、そのアダプタケース５０の内底面にはピン５１が立設されている。一方、上記電子キー２は、略長方形中空板形状をなす電子キーケース２０を備え、該長方形の短辺と電子キーケース２０の厚さ方向の辺とによる電子キーケース２０の下端面には、上記ピン５１が進入可能な穴が設けられ、その穴を内側から塞ぐように電子キーケース２０内には、防塵及び防水用のパッキン２１が弾性変形可能に設けられている。また、パッキン２１のさらに内側には、電子キーケース２０の外側から上記穴に進入したピン５１により、パッキン２１を介して押圧されてスイッチオンするマイクロスイッチ２２が設けられている。
【００２３】
尚、電子キー２と保管用アダプタ５との位置関係について、マイクロスイッチ２２がピン５１により押圧されてスイッチオンしている位置関係にあることを、電子キー２が保管用アダプタ５の定位置に置かれていることと規定する。電子キー２の下部領域を保管用アダプタ５に装着しつつ、電子キー２を保管用アダプタ５に立て掛けることで、電子キー２が保管されることになる。そして、マイクロスイッチ２２のスイッチオンに伴い、電子キー２の電源がオフされて該電子キー２の通信機能を含む全ての機能が停止される。これにより、保管用アダプタ５に接続中は電子キー２からの返信が停止され、電子キー２が保管用アダプタ５から抜かれた時には、ピン５１が抜けてマイクロスイッチ２２が解放されるため、再度電源がオンとなって通信が再開され、通常動作が可能になる。マイクロスイッチ２２は通信停止スイッチに相当し、ピン５１は協働手段に相当する。
【００２４】
以上説明したように、本実施の形態によれば、以下の作用効果を奏することができる。
（１）電子キー２を定位置に置くことで通信機能が停止されるため、電池消耗の低減ができ、且つ通信機能が停止されることでセキュリティ上の心配点もなくなる。したがって、電池消耗の低減ができ、且つセキュリティ上の心配点をなくすことができる。
【００２５】
（２）電子キー２を定位置に置くことで電子キー２の機能が全て停止されるため、通信機能の停止に伴うセキュリティの確保は勿論のこと、電池消耗をより一層低減できる。
（３）電子キー２の置き場が確定するため、電子キー２の紛失、或いは探すといった行為に対しての対策にもなる。
【００２６】
（４）電子キー２を定位置に置いた瞬間にマイクロスイッチ２２がスイッチオンすることで直ちに通信機能を停止できる。したがって、電池消耗の低減とセキュリティの確保の双方がより顕著となる。
【００２７】
尚、上記実施の形態は、次のように変更して具体化することも可能である。
・保管用アダプタ５に協働手段としてマグネットを設けつつ、電子キー２に通信停止スイッチとしてリードスイッチを設ける等、電子キー２が定位置に置かれていることを非接触で検出した上で、通信機能を停止してもよい。この場合、防塵及び防水用のパッキン２１を割愛することも可能である。
【００２８】
・電子キー２の通信機能を停止するにあたり、照合ユニット４からの呼び掛け信号の受信動作を停止してもよい。或いは、呼び掛け信号の受信動作を可能としつつ、応答信号の送信動作を停止してもよい。
【００２９】
・電子キー２が定位置に置かれている場合に電子キー２の通信機能のみを停止してもよい。
・双方向の無線通信は、往路と復路とで電波の周波数が異なることに限らず、同一の周波数の電波を用いてもよい。また、電波の周波数を適宜変更してもよい。
【００３０】
・双方向の無線通信は、いわゆるスマート通信に限定されない。ブルートゥース（Bluetooth ：登録商標）通信或いはＮＦＣ（Near Field Communication）通信等の近距離無線通信であってもよい。
【符号の説明】
【００３１】
１…住宅用電子キーシステム、２…電子キー、３…玄関ドア、４…照合ユニット、５…保管用アダプタ、２０…電子キーケース、２１…パッキン、２２…マイクロスイッチ（通信停止スイッチ）、５０…アダプタケース、５１…ピン（協働手段）。
【図１】
2018035590.tif 000003